(57)【要約】【課題】光拡散レンズや光拡散板等を用いることなくグレアを抑制することができ、しかも放熱効果が良好なＬＥＤ照明器具を提供する。【解決手段】複数のＬＥＤ２・・２を器具本体１の中心ＣＬに対して回転対称に配置し、その各ＬＥＤの出射光を反射部材３の反射平面３１にて下方に反射して間接的に被照射面に照射する構造とする。このような構造により、光拡散レンズや光拡散板等を用いることなく、光源（ＬＥＤ）の眩しさ（グレア）を抑制することができる。さらに、ＬＥＤ２を器具本体１に直に取り付けている。これにより、器具本体１の大きな表面積を利用して放熱を行うことができので、ＬＥＤが発生する熱を効率よく放熱することができる。【選択図】図８
2016115430.tif 000002
【特許請求の範囲】
【請求項１】
光源としてＬＥＤを用いるＬＥＤ照明器具であって、
下方が開口された筒状部を有する器具本体と、前記器具本体の上下方向に沿った中心に対して回転対称に配置され、それぞれが当該器具本体の中心側に向けて光を出射する複数のＬＥＤと、その各ＬＥＤから出射した光を下方に向けて反射する複数の反射面を有する反射部材とを備え、
前記器具本体の筒状部の内周部には、周方向に沿って複数の凹部が設けられており、その各凹部内にそれぞれ前記ＬＥＤが直接取り付けられているとともに、前記各凹部には、前記ＬＥＤから側方に出射された光を前記反射部材の反射面に向けて反射する反射凹面が形成されていることを特徴とするＬＥＤ照明器具。
【発明の詳細な説明】
【技術分野】
【０００１】
本発明は、吊り下げ形などの照明器具に関し、さらに詳しくは、ＬＥＤ（発光ダイオード：Light-Emitting Diode）を光源とするＬＥＤ照明器具に関する。
【背景技術】
【０００２】
ＬＥＤの高光束化により大光量のＬＥＤ照明器具が実用化されている。ＬＥＤを光源とする吊り下げ形のＬＥＤ照明器具では、下方が開口された器具本体（筐体）の内部に金属製の取付板を設け、その取付板にＬＥＤを下向きに取り付けて被照射面を直接照射するようにしている。ここで、ＬＥＤは出射光の指向性が強いため、直接照射方式のＬＥＤ照明器具では、光源（ＬＥＤ）を眩しく感じる（グレア）場合がある。このようなグレアを防止するために、ＬＥＤの前面側に光拡散レンズや光拡散板（ガラス板）などを配置している（例えば、特許文献１〜３参照）。
【先行技術文献】
【特許文献】
【０００３】
【特許文献１】特開２０１４−１４６５７０号公報
【特許文献２】特開２０１２−０７４２１３号公報
【特許文献３】特開２００９−００９８０９号公報
【発明の概要】
【発明が解決しようとする課題】
【０００４】
上記したように、直接照明方式のＬＥＤ照明器具にあっては、グレアを抑制するために、ＬＥＤの前面側に光拡散レンズや光拡散板などを配置する等の対策を採る必要がある。また、ＬＥＤを器具本体に取付板を介して取り付ける構造では、ＬＥＤの発熱を器具本体に取付板を介して間接的に逃がすため放熱効率が悪い。また、取付板と器具本体との接触面積が小さくて熱伝導が低い等の理由から、ＬＥＤの発熱量を十分に放熱することができない。このため器具本体の外部に放熱用のフィンを設ける必要がある。
【０００５】
本発明はそのような実情を考慮してなされたもので、光拡散レンズや光拡散板等を用いることなくグレアを抑制することができ、しかも放熱効果が良好なＬＥＤ照明器具を提供することを目的とする。
【課題を解決するための手段】
【０００６】
本発明は、光源としてＬＥＤを用いるＬＥＤ照明器具において、下方が開口された筒状部（円筒部）を有する器具本体と、前記器具本体の上下方向に沿った中心に対して回転対称に配置され、それぞれが当該器具本体の中心側に向けて光を出射する複数のＬＥＤと、その各ＬＥＤから出射した光を下方に向けて反射する複数の反射面を有する反射部材とを備えている。そして、前記器具本体の筒状部の内周部には、周方向に沿って複数の凹部が設けられており、その各凹部内にそれぞれ前記ＬＥＤが直接取り付けられているとともに、前記各凹部には、前記ＬＥＤから側方に出射された光を前記反射部材の反射面に向けて反射する反射凹面が形成されていることを特徴としている。
【０００７】
本発明のＬＥＤ照明器具によれば、複数のＬＥＤを器具本体の中心に対して回転対称に配置し、その各ＬＥＤの出射光を反射部材にて下方に反射して間接的に被照射面に照射する構造としているので、光拡散レンズや光拡散板等を用いることなく、光源（ＬＥＤ）の眩しさ（グレア）を抑制することができる。しかも、各ＬＥＤを凹部に配置し、その凹部に設けた反射凹面によって各ＬＥＤから側方に出射される光を反射部材の反射面に向けて反射するので、光の利用効率を高めることができる。
【０００８】
さらに、本発明のＬＥＤ照明器具では、ＬＥＤを器具本体に直に取り付けているので、器具本体の大きな表面積を利用して放熱を行うことができる。これによってＬＥＤが発生する熱を効率よく放熱することができる。また、器具本体の表面に風が当たれば放熱効率が更によくなる。このように、本発明のＬＥＤ照明器具では、ＬＥＤの発熱を効率よく放出することができるので、器具本体の外部に放熱用のフィンを設ける必要がなくなる。
【発明の効果】
【０００９】
本発明のＬＥＤ照明器具によれば、光拡散レンズや光拡散板等を用いることなくグレアを抑制することができる。しかも、ＬＥＤの発熱を効率よく放出することができるので、放熱用のフィンを無くすことが可能になる。
【図面の簡単な説明】
【００１０】
【図１】本発明のＬＥＤ照明器具の一例を示す斜視図である。
【図２】図１に示すＬＥＤ照明器具の正面図である。
【図３】図１に示すＬＥＤ照明器具の平面図である。
【図４】図１に示すＬＥＤ照明器具の底面図である。
【図５】図３のＡ−Ａ断面図である。
【図６】図２のＢ−Ｂ断面図である。
【図７】図２のＣ−Ｃ断面図である。なお、図７において反射部材の図示は省略している。
【図８】図１〜図７に示すＬＥＤ照明器具の出射光の光路を模式的に示す図である。
【図９】図１〜図７に示すＬＥＤ照明器具の出射光の光路を模式的に示す図である。
【発明を実施するための形態】
【００１１】
以下、本発明の実施形態を図１〜図７を参照して説明する。
【００１２】
本実施形態のＬＥＤ照明器具１００は、吊り下げ形の照明器具であって、器具本体１、６個のＬＥＤ２・・２、及び、反射部材３などによって構成されている。
【００１３】
器具本体１は、アルミダイキャスト等の放熱性の高い材料製の部材であって、下方（円筒部１１の下方）が開口されている。なお、器具本体１の下方の開口を、以下「開口部１ａ」という。
【００１４】
器具本体１は、中空の円筒部１１、中空の円錐台部１２及び短管部１３によって構成されている。これら円筒部１１と円錐台部１２と短管部１３との中心軸は、器具本体１の上下方向に沿った中心ＣＬ（以下、器具中心ＣＬという）に一致している。
【００１５】
器具本体１の短管部１３の上部には、電源コード２００の挿通用の貫通孔１３ａが設けられている。円錐台部１２の内部には駆動回路ユニット（図示せず）などが収容される。円筒部１１の内面には、白色塗装または高反射率の内面処理等が施されている。
【００１６】
円筒部１１には、内周部に６つの凹部１１１・・１１１が設けられている。これら６つの凹部１１１・・１１１は互いに同形状であり、器具中心ＣＬに対して６０°回転対称に配置されている。各凹部１１１は、上下方向（器具中心ＣＬに沿う方向）に一様断面で延びており、器具中心ＣＬと平行なＬＥＤ取付面（平面）１１２と、このＬＥＤ取付面１１２の側方両側に設けられた反射凹面１１３，１１３とを有する。各反射凹面１１３は、ＬＥＤ取付面１１２に取り付けられたＬＥＤ２が出射する光のうち側方に進行する光を、後述する反射部材３の反射平面３１に向けて反射する形状に加工されている。
【００１７】
本実施形態に用いるＬＥＤ２は白色ＬＥＤである。白色ＬＥＤとしては、例えば、青色ＬＥＤと、その青色ＬＥＤ素子の出力光（青色）によって黄色に発光する黄色蛍光体（例えばＹＡＧ蛍光体）などを組み合わせたものであってもよいし、青色ＬＥＤ素子、緑色ＬＥＤ素子及び赤色ＬＥＤ素子が樹脂で一体的にモールドされ、それら青色・緑色・赤色の３色を混色して白色の光を発光する、いわゆる３ｉｎ１タイプのマルチチップＬＥＤであってもよい。
【００１８】
そして、各ＬＥＤ２は、それぞれ、器具本体１の円筒部１１の凹部１１１内に配置されている。具体的には、各ＬＥＤ２は凹部１１１のＬＥＤ取付面（平面）１１２の上下方向及び横方向（水平方向）の中央部に直に取り付けられており、これら６個のＬＥＤ２・・２は、器具中心ＣＬに対して６０°回転対称に配置されている。また、各ＬＥＤ２は、出射面を器具中心ＣＬ側に向けた状態でＬＥＤ取付面１１２に取り付けられており、各ＬＥＤ２は器具中心ＣＬ側（器具本体１の内部中央側）に向けて光を出射する。なお、各ＬＥＤ２のリード線（図示せず）は、例えば、器具本体１の円錐台部１２内に導かれて駆動回路ユニットに接続される。
【００１９】
反射部材３は６面の台形状の反射平面３１・・３１を有する。具体的には、反射部材３は正六角錐台形状の部材（中空部材）であり、その６面の錐体面（外面）が反射平面３１・・３１となっている。反射平面３１・・３１には、白色塗装または高反射率の外面処理等が施されている。そして、反射部材３は、正六角錐台の頂部側を下に向けた状態で器具本体１の円筒部１１内に配置され、フランジ３ａを円筒部１１に固定することにより器具本体１に取り付けられている。この取付状態で、反射部材３の中心軸が円筒中心ＣＬに一致するとともに、反射平面３１・・３１が円筒中心ＣＬに対して６０°回転対称に配置される。さらに、各反射平面３１の水平方向の中心と、回転対称に配置されたＬＥＤ２の光軸とが一致する。また、各反射平面（錐体面）３１の傾斜角（反射角）は例えば４５度である。なお、反射部材３は、例えば板材のプレス加工品である。
【００２０】
以上の本実施形態のＬＥＤ照明器具１００によれば、図８に示すように、各ＬＥＤ２から出射した光は、それぞれ、反射部材３の反射平面３１にて下方に反射され、器具本体１の開口部１ａから外部に出射して被照射面を間接的に照明する。このように、反射部材３を用いた間接照明とすることにより、光拡散レンズや光拡散板等を用いることなく、光源（ＬＥＤ）の眩しさ（グレア）を抑制することができる。
【００２１】
さらに、本実施形態のＬＥＤ照明器具１００にあっては、６個のＬＥＤ２・・２を器具中心ＣＬに対して回転対称に配置するとともに、反射部材３を６角錐台形状として各ＬＥＤ２に対してそれぞれ反射平面３１を配置している。このような構成により、回転対称に配置したＬＥＤ２の出射光を反射部材３（各反射平面３１）にて相互に異なる方向に反射することできるので、被照射面をより均一に照明することができる。
【００２２】
さらに、本実施形態のＬＥＤ照明器具１００では、各ＬＥＤ２を器具本体１の内周部に設けた凹部１１１内に配置しているので、図９に示すように、各ＬＥＤ２から出射する光のうち側方に進行する光は、凹部１１１の反射凹面１１３にて反射部材３の反射平面３１に向けて反射され、その反射平面３１にて下方に向けて反射される。このように、各ＬＥＤ２から出射する光のうち反射平面３１に向かわない光も照明に利用することができるので、光の利用効率を高めることができる。
【００２３】
また、本実施形態のＬＥＤ照明器具１００では、各ＬＥＤ２を器具本体１に直接取り付けているので、器具本体１の大きな表面積を利用して放熱を行うことができる。これによってＬＥＤが発生する熱を効率よく放熱することができる。さらに、器具本体１の表面に風が当たれば放熱効率が更によくなる。このように、本実施形態のＬＥＤ照明器具１００では、各ＬＥＤ２の発熱を効率よく放出することができるので、器具本体１の外部に放熱用のフィンを設ける必要がなくなる。そして、フィンを無くすことができることにより、器具本体１への埃等の堆積を抑制することができる。また、器具本体１をすっきりとした形状にすることができるとともに、軽量化をはかることが可能になる。
【００２４】
なお、本実施形態のＬＥＤ照明器具１００において、器具本体１の内部の反射部材３の配置位置、反射平面３１の角度や形状などを変更することにより、照明の多様化に対応することが可能な配光特性を得ることができる。
【００２５】
また、本実施形態のＬＥＤ照明器具１００において、各ＬＥＤ取付面１１２のＬＥＤ２の上側となる部分を、内側に傾斜する反射傾斜面もしくは反射凹面として、各ＬＥＤ２から出射された光のうち上方に進行する光を下方に向けて反射するように構成してもよい。このようにすれば、光の利用効率を更に高めることができる。
【００２６】
また、本実施形態のＬＥＤ照明器具１００において、器具本体１の開口部１ａをガラス板等の透光性カバーで塞ぐようにしてもよい。このようにすれば、器具本体１内部に埃等が入ることを防止することができる。
【００２７】
−他の実施形態−
以上の実施形態では、ＬＥＤの数を６個としているが、これに限られることなく、ＬＥＤ及び凹部の数は６個以外の任意の複数であってもよい。
【００２８】
以上の実施形態では、吊り下げ形のＬＥＤ照明器具に本発明を適用した例について説明したが、本発明はこれに限られることなく、下面開放形のＬＥＤ照明器具であって、人の目に光源（ＬＥＤ）が直接入り込む可能性のある器具であれば、他のＬＥＤ照明器具にも適用可能である。
【符号の説明】
【００２９】
１００  ＬＥＤ照明器具
１  器具本体
１ａ  開口部
１１  円筒部（筒状部）
１１１  凹部
１１２  ＬＥＤ取付面
１１３  反射凹面
２  ＬＥＤ
３  反射部材
３１  反射平面（反射面）
ＣＬ  器具本体の中心（器具中心）
【図１】
2016115430.tif 000003
【図２】
2016115430.tif 000004
【図３】
2016115430.tif 000005
【図４】
2016115430.tif 000006
【図５】
2016115430.tif 000007
【図６】
2016115430.tif 000008
【図７】
2016115430.tif 000009
【図８】
2016115430.tif 000010
【図９】
2016115430.tif 000011